(57)【特許請求の範囲】
【請求項１】
細長い可撓性シースの先端に先端処置部材が設けられた内視鏡用処置具を格納するための内視鏡用処置具の格納箱であって、
有蓋の箱内に設けられたフレームと、
上記シースの手元側端部に連結された操作部又は上記シースの手元側端部付近を保持するために上記フレームに設けられた手元側部分保持部材と、
上記シースを緩く通せるように一端が上記手元側部分保持部材に向けられて、中間部分が滑らかに曲げられて上記フレームの裏側に配置され、両端付近において上記フレームに支持された筒状保持部材とを有し、
上記筒状保持部材が、径の細い可撓性チューブを径の太い可撓性チューブ内に緩く途中まで差し込んで、規制解除自在な固定手段により上記二つの可撓性チューブの相対的な軸線方向移動を規制して構成され、それにより、上記筒状保持部材の全長が調整自在であることを特徴とする内視鏡用処置具の格納箱。
【請求項２】
上記径の細い可撓性チューブが上記手元側端部寄りに配置され、上記径の太い可撓性チューブが出口側端部寄りに配置されている請求項１記載の内視鏡用処置具の格納箱。
【請求項３】
上記固定手段が、弾力性のある材料からなる短いチューブ部材であり、上記径の細い可撓性チューブと上記径の太い可撓性チューブとにまたがって両チューブを締め付ける状態に被覆されている請求項１又は２記載の内視鏡用処置具の格納箱。
【請求項４】
上記筒状保持部材の固定手段が、上記フレームに開閉自在に取り付けられた蓋体の背後に収納されている請求項１、２又は３記載の内視鏡用処置具の格納箱。
【請求項５】
上記箱が可搬性のアタッシュケースである請求項１、２、３又は４記載の内視鏡用処置具の格納箱。
【発明の詳細な説明】
【０００１】
【発明の属する技術分野】
この発明は、内視鏡用処置具の格納箱に関する。
【０００２】
【従来の技術】
内視鏡用処置具は一般に、内視鏡の処置具挿通チャンネルに挿脱される細長い可撓性シースの先端に設けられた先端処置部材を、手元側からの遠隔操作によって動作させるように構成されている。
【０００３】
そのような内視鏡用処置具の可撓性シースは柔軟で非常に長い（内視鏡の挿入部より数十センチメートル長い）ので、不使用時の保管が面倒であり、シースを床にひきずって汚したり、踏みつけて破損してしまう場合が少なくない。
【０００４】
そこで従来は、シースを嵌め込むことができる溝が環状に形成されたスポンジを箱内に詰めて、幾つかの処置具のシースを一緒に溝内に沿わせて格納することにより、シースを床にひきずって汚したり、踏みつけて破損しないようにしていた。
【０００５】
【発明が解決しようとする課題】
しかし、シースの先端部分が溝内にあると先端処置部材が見えず、その処置具の種類が判らないので、処置具の種類を確認するためにシースを一々溝から取り外さなければならず、非常に面倒であるだけでなくシースが汚れてしまう場合がある。
【０００６】
また、スポンジに形成された溝にシースを嵌め込むと、持ち運びの振動などでシースが溝から外れて、箱の蓋を開いたときにシースが外に飛び出して汚れてしまう場合がある。
【０００７】
そこで本発明は、細長い可撓性シースを有する処置具を清潔に格納することができ、しかも処置具の種類を一目で確認することができる内視鏡用処置具の格納箱を提供することを目的とする。
【０００８】
【課題を解決するための手段】
上記の目的を達成するため、本発明の内視鏡用処置具の格納箱は、細長い可撓性シースの先端に先端処置部材が設けられた内視鏡用処置具を格納するための内視鏡用処置具の格納箱であって、有蓋の箱内に設けられたフレームと、上記シースの手元側端部に連結された操作部又は上記シースの手元側端部付近を保持するために上記フレームに設けられた手元側部分保持部材と、上記シースを緩く通せるように一端が上記手元側部分保持部材に向けられて、中間部分が滑らかに曲げられて上記フレームの裏側に配置され、両端付近において上記フレームに支持された筒状保持部材とを有し、上記筒状保持部材の全長が調整自在であることを特徴とする。
【０００９】
なお、上記筒状保持部材が、径の細い可撓性チューブを径の太い可撓性チューブ内に緩く途中まで差し込み、規制解除自在な固定手段によって上記二つの可撓性チューブの相対的な軸線方向移動を規制して構成されていてもよい。
【００１０】
そして、上記径の細い可撓性チューブが上記手元側端部寄りに配置され、上記径の太い可撓性チューブが出口側端部寄りに配置されていてもよい。
また、上記固定手段が、弾力性のある材料からなる短いチューブ部材であり、上記径の細い可撓性チューブと上記径の太い可撓性チューブとにまたがって両チューブを締め付ける状態に被覆されていてもよい。
【００１１】
また、上記筒状保持部材の固定手段が、上記フレームに開閉自在に取り付けられた蓋体の背後に収納されていてもよく、上記箱が可搬性のアタッシュケースであってもよい。
【００１２】
【発明の実施の形態】
図面を参照して本発明の実施の形態を説明する。
図２は、本発明の第１の実施の形態の内視鏡用処置具格納用アタッシュケースの内部の状態の正面図、図１はその側面断面図である。外箱であるアタッシュケース自体の図示は省略されている。
【００１３】
内視鏡用処置具の格納箱のフレーム１０は、プラスチック材により、全体が図１に示されるような前方に二段に突出する形状に形成されており、処置具の手元側部分を吊り下げる状態に保持するための手元側部分保持部１３が、一段目の凸部１１の前板の上部から前方に突出して全幅に形成されている。
【００１４】
手元側部分保持部１３には、例えば図３に平面形状が示されるような、Ω形の保持溝１４が板面に垂直に形成されていて、処置具１の操作部２をそこに引っ掛けて吊るすことができる。
【００１５】
図１及び図２に戻って、手元側部分保持部１３の下方において一段目の凸部１１からさらに前方に突出した二段目の凸部１２の上面部分には、保持溝１４の真下の位置に、筒状保持部材１５の入口開口１５ａが上向きに開口配置されている。
【００１６】
筒状保持部材１５は、例えば四フッ化エチレン樹脂チューブやポリエチレン樹脂チューブ等のような可撓性チューブで形成されていて、一段目の凸部１１と二段目の凸部１２の裏側の空間内に略α状に滑らかに曲げて収納されている。
【００１７】
筒状保持部材１５の入口側端部は二段目の凸部１２の上面を貫通した状態でそこに固定されており、筒状保持部材１５の出口側端部１５ｂは、入口開口１５ａのほぼ真下に位置していて、二段目の凸部１２の下面から少し下方に突出した状態でそこに固定されている。
【００１８】
その結果、処置具１の可撓性シース３を筒状保持部材１５内に挿通すると、可撓性シース３が筒状保持部材１５内に緩く通された状態で保持され、操作部２を手元側部分保持部１３の保持溝１４に係合させることにより処置具１の手元側部分を保持することができる。
【００１９】
筒状保持部材１５は、径の細い可撓性チューブ１５Ｘを径の太い可撓性チューブ１５Ｙ内に緩く途中まで差し込み、弾力性のある材料によって短いチューブ状に形成された締め付けバンド１５Ｚを、細径チューブ１５Ｘと太径チューブ１５Ｙとにまたがって両チューブを締め付ける状態に被覆して、細径チューブ１５Ｘと太径チューブ１５Ｙとが相対的に軸線方向に移動しないようにして構成されている。
【００２０】
したがって、締め付けバンド１５Ｚを例えば太径チューブ１５Ｙの表面部分にずらせば、細径チューブ１５Ｘが締め付けバンド１５Ｚによる締め付けから開放されるので、細径チューブ１５Ｘを太径チューブ１５Ｙに対して軸線方向に移動させて筒状保持部材１５の全長を調整することができ、そのような調整後に締め付けバンド１５Ｚを元の状態に戻して、再び細径チューブ１５Ｘと太径チューブ１５Ｙとが相対的に軸線方向に移動しないようにすることができる。
【００２１】
このようにして、処置具１の可撓性シース３の長さに合わせて筒状保持部材１５の全長を調整することにより、その筒状保持部材１５に収容する処置具１の可撓性シース３の長さが変わっても、常に先端処置部材４（４ａ，４ｂ，…）が筒状保持部材１５の出口側端部１５ｂから少しだけ突出した状態になるようにセットして、その処置具１の種類を一目で確認することができる。
【００２２】
なお、細径チューブ１５Ｘを筒状保持部材１５の入口開口１５ａ側に配置して太径チューブ１５Ｙを出口側端部１５ｂ側に配置すると、入口開口１５ａ側から処置具１を通していく際に、細径チューブ１５Ｘ側から太径チューブ１５Ｙ側に通されるので、引っ掛かりが発生せず具合がよい。また、締め付けバンド１５Ｚは弾力性のある材料によってチューブ状に形成されたものに限定されず、バネ材その他のものを用いてもよい。
【００２３】
図２に示されるように、フレーム１０には、上述のような保持溝１４と筒状保持部材１５とが各々一定の間隔をあけて複数並んで設けられており、先端処置部材４が生検鉗子カップ４ａの処置具や、先端処置部材４が異物回収用バスケット４ｂの処置具等、各種の処置具１を複数並べて保持することができる。
【００２４】
このような内視鏡用処置具の格納箱は、可撓性シース３を筒状保持部材１５に入口開口１５ａから通して、操作部２を手元側部分保持部１３に引っ掛けるだけで、多数の処置具１を互いに干渉しない状態で容易に格納することができる。
【００２５】
処置具１が保持された状態では、操作部２と先端処置部材４が見えるので処置具の種類を一目で容易に確認することができる。また、処置具１を取り外さなくても、操作部２を操作して可撓性シース３の作動確認を容易に行うことができる。
【００２６】
処置具１を取り外す際には、一方の手で操作部２を手元側部分保持部１３から外し、他方の手を可撓性シース３の途中に添えて可撓性シース３を筒状保持部材１５から引き出せば、可撓性シース３を床などに引きずることなく清潔な状態のまま容易に取り外すことができる。
【００２７】
なお、手元側部分保持部１３の保持溝１４は、そこに保持される処置具１の相違に対応した形状にすればよく、例えば図４に示されるように、処置具１が吸引チューブの場合には、その手元口金１０２が嵌め込まれる程度の大きさに保持溝１４を形成すればよい。
【００２８】
また、処置具１が、例えば掃除用ブラシ等のように可撓性シース３を手元側部分保持部１３に直接保持せざるを得ない場合には、図５に平面図が示され、図６に正面断面図が示されるように、手元側部分保持部１３をゴム等の弾力性のある部材で形成して、処置具１の可撓性シース３の手元側端部付近を締め付ける状態に保持してもよい。
【００２９】
また、図７に示されるように、二段目の凸部１２の部分を少し大きめに確保して、筒状保持部材１５をその背後の空間内のみに収容することにより、一段目の凸部１１を省略して、格納箱全体を薄形に構成することができる。
【００３０】
そして、二段目の凸部１２部分に開閉蓋１７を設ければ、そこを開いて筒状保持部材１５を容易に交換することができ、保持対象になる処置具１の可撓性シース３の長さが変わった場合に即座に筒状保持部材１５の全長を調整することができる。１８は蝶番、１９は把手、２０はクリック（とめ金等でもよい）である。
【００３１】
図８は、アタッシュケース３０を開いた状態の全体構成を示しており、長い可撓性シース３を有する多数の処置具１を比較的小さなアタッシュケース３０内に整然と格納して運搬することができ、各処置具１の種類を一目で確認することができる。
【００３２】
ただし本発明は、アタッシュケース３０に限らず、フレーム１０を有蓋の箱内に設けたものであればよい。
【００３３】
【発明の効果】
本発明によれば、内視鏡用処置具の可撓性シースの大半の部分が、滑らかに曲げられた筒状保持部材に緩く通す状態で格納されるので、可撓性シースがふらつかず清潔に内視鏡用処置具を保持することができると共に、処置具の格納／取り出しを容易に行うことができる。そして、筒状保持部材の全長を調整自在にしたことにより、常に処置具の先端の先端処置部が筒状保持部材の出口側端部から少しだけ突出した状態になるようにセットして、その処置具の種類を一目で確認することができる。
【図面の簡単な説明】
【図１】本発明の第１の実施の形態の内視鏡用処置具の格納箱の内部の側面断面図である。
【図２】本発明の第１の実施の形態の内視鏡用処置具の格納箱の内部の一部を切除して示す正面図である。
【図３】本発明の第１の実施の形態の内視鏡用処置具の格納箱の内部の部分平面図である。
【図４】本発明の第２の実施の形態の内視鏡用処置具の格納箱の内部の部分正面断面図である。
【図５】本発明の第３の実施の形態の内視鏡用処置具の格納箱の内部の部分平面図である。
【図６】本発明の第３の実施の形態の内視鏡用処置具の格納箱の内部の部分正面断面図である。
【図７】本発明の第４の実施の形態の内視鏡用処置具の格納箱の内部の側面断面図である。
【図８】本発明の内視鏡用処置具の格納箱のアタッシュケースの蓋が開かれた状態の斜視図である。
【符号の説明】
１  処置具
２  操作部
３  可撓性シース
１０  フレーム
１３  手元側部分保持部
１４  保持溝
１５  筒状保持部材
１５Ｘ  細径チューブ
１５Ｙ  太径チューブ
１５Ｚ  締め付けバンド
３０  アタッシュケース
【図１】
0004083282.tif 000002
【図２】
0004083282.tif 000003
【図３】
0004083282.tif 000004
【図４】
0004083282.tif 000005
【図５】
0004083282.tif 000006
【図６】
0004083282.tif 000007
【図７】
0004083282.tif 000008
【図８】
0004083282.tif 000009